(57)【特許請求の範囲】
【請求項１】
ゴム栓（１）で閉止されたバイアル（２）の口部（２２）に取り付けられるソケット部材（３）と、前記ソケット部材（３）に挿入されて係合するプラグ部材（４）とからなり、前記ソケット部材（３）は取り付け時にバイアル（２）の口部（２２）から上方に延びる管状部（３１）を備え、前記プラグ部材（４）は前記ソケット部材（３）の管状部（３１）内に挿入されて前記ソケット部材（３）と係合した時に自身の先端部（４１）をバイアル（２）のゴム栓（１）に当接させることにより該ゴム栓（１）を固定するバイアルキャップであって、前記ソケット部材（３）の管状部（３１）内に、前記プラグ部材（４）の前記先端部（４１）が通過する狭窄部（３４，３７）を設けて前記ゴム栓（１）が前記管状部（３１）から抜け出るのを防止したことを特徴とするバイアルキャップ。
【請求項２】
前記狭窄部は、前記管状部（３１）の内周壁から内方に張り出した鍔（３４）を形成することにより設けられた請求項１に記載のバイアルキャップ。
【請求項３】
前記鍔（３４）は、環状に連続的に設けられている請求項２に記載のバイアルキャップ。
【請求項４】
前記鍔（３４）は、断続的に設けられている請求項２に記載のバイアルキャップ。
【請求項５】
前記プラグ部材（４）は前記ソケット部材（３）に螺合することにより係合する請求項１に記載のバイアルキャップ。
【請求項６】
前記プラグ部材（４）は前記ソケット部材（３）にスナップ式に嵌合することより係合する請求項１に記載のバイアルキャップ。
【請求項７】
前記ソケット部材（３）はバイアル（１）の口部（２２）にスナップ式に嵌合することにより取り付けられる請求項１に記載のバイアルキャップ。
【発明の詳細な説明】
【技術分野】
【０００１】
本発明は、薬剤の反応容器や保管容器として用いられているバイアル、より詳しくは、フランジ状の口部を備え、該口部にゴム栓を嵌合させて閉止する形式のバイアルの該ゴム栓を固定するためのキャップに関する。
【背景技術】
【０００２】
上記の形式のバイアルは、薬剤の収容時、口部にゴム栓を嵌合させて閉止した後、該口部の周りにアルミキャップや樹脂製キャップを施してシールされる（特許文献１、特許文献２）。しかし、ゴム栓にPEEKチューブを穿刺した状態で加熱装置に取り付けると、PEEKチューブとゴム栓の隙間から真空漏れが生じたり、ヒーターとの位置関係がずれて加熱条件に変動が生じる等の問題があった。
【０００３】
そこで、本発明者は、図５に示すように、ゴム栓１で閉止されたバイアル２の口部２２にスナップ式に嵌合させて取り付けられるソケット部材３と、このソケット部材３に螺合して挿入されたプラグ部材４とからなるバイアルキャップであって、ソケット部材３は取り付け時にバイアル２の口部２２から上方に延びる管状部３１を備え、プラグ部材４を自身の先端部４１がバイアル２のゴム栓１に当接するまでソケット部材３の管状部内３１にねじ込むことによりゴム栓１を固定するとともに、この状態でPEEKチューブをゴム栓１に穿刺できるようにプラグ部材４に複数の挿通穴４３を設けたものを既に発明し、特許出願（特願２００９−９８８８０号公報）している。
【０００４】
図５のようなバイアルキャップを用いることにより、上述した真空漏れや加熱条件の変動の問題は解決した。しかし、このバイアルキャップを、口部２２のゴム栓１をアルミキャップや樹脂製キャップ（図示せず）でシールしていないバイアル２に使用すると、プラグ部材４を外す際にゴム栓１がプラグ部材４の先端部４１の端面４２に貼り付いて、プラグ部材４と一緒に回転してバイアル２の口部２２から外れ、場合によってはソケット部材３の管状部３１から抜け出すという問題が発生することが判った。この問題を解決するためには、プラグ部材４の端面４２の面積を小さくしたり、端面４２にテフロン（登録商標）加工を施してゴム栓１との貼り付きを防止することも考えられるが、何れも上記問題を十分に解決することはできなかった。
【先行技術文献】
【特許文献】
【０００５】
【特許文献１】特開平０８−２３０９２８号公報
【特許文献２】特開２００８−０５００５７号公報
【発明の概要】
【発明が解決しようとする課題】
【０００６】
本発明は、上述のバイアルキャップにおいて、プラグ部材の取り外しの際にゴム栓がプラグ部材と一緒にバイアルの口部から外れる課題を解決する他の方法を提供することを目的とする。
【課題を解決するための手段】
【０００７】
本発明者等は、上記の課題を解決するために鋭意検討した結果、前記バイアルキャップのソケット部材の管状部内の内側壁の形状を工夫することにより、上記課題が解決できることを見出し、本発明を完成するに至った。
【０００８】
すなわち、本発明は、ゴム栓で閉止されたバイアルの口部に取り付けられるソケット部材と、前記ソケット部材に挿入されて係合するプラグ部材とからなり、前記ソケット部材は取り付け時にバイアルの口部から上方に延びる管状部を備え、前記プラグ部材は前記ソケット部材の管状部内に挿入されて前記ソケット部材と係合した時に自身の先端部をバイアルのゴム栓に当接させることにより該ゴム栓を固定するバイアルキャップであって、前記ソケット部材の管状部内に狭窄部を設けて前記ゴム栓が前記管状部から抜け出るのを防止したことを特徴とするバイアルキャップを提供する。
【発明の効果】
【０００９】
本発明によれば、バイアルキャップのプラグ部材を外す際にプラグ部材の先端部にゴム栓が貼り付いたとしても、ゴム栓は狭窄部によってソケット部材の管状部を通過することが阻止される一方で、プラグ部材の先端部は狭窄部を通過できるので、ゴム栓はプラグ部材から剥離され、ゴム栓がバイアルの口部から外れるのを防止できる。
また、本発明のバイアルキャップをバイアルに取り付けて使用する際には、ゴム栓の十分なシール性も担保できるので、バイアルにアルミキャップを施す必要もなくなる。したがって、本発明のバイアルキャップは、バイアルを一時保管容器として使用する場合のアルミキャップの代替としても使用できる。
【図面の簡単な説明】
【００１０】
【図１】本発明のバイアルキャップの一実施形態を示す縦断面図である。
【図２】本発明のバイアルキャップの他の実施形態を示す縦断面図である。
【図３】本発明のバイアルキャップの更に他の実施形態を示す縦断面図である。
【図４】図１のバイアルキャップのソケット部材を底部から見た斜視図である。
【図５】先願で提案されたバイアルキャップを示す縦断面図である。
【発明を実施するための形態】
【００１１】
以下、図面を参照しつつ、本発明のバイアルキャップの実施形態について説明するが、本発明は当該実施形態のみに限定されるものではない。
【００１２】
図１は、本発明のバイアルキャップの一実施形態を示す縦断面図であり、図１において、図５に示されるバイアルキャップと同様の要素には同様の符号が付されている。特に、図１において、ゴム栓１、バイアル２及びプラグ部材４の構成は図５と同じであるが、ソケット部材３が管状部３１の内部にその側壁から内方に突出する鍔３４を備えることにより狭窄部を形成している点で図５と異なる。この狭窄部は、プラグ部材４の小径となった先端部４１よりも大きな寸法を備えるため、該先端部４１の通過は許容するが、ゴム栓１の上面部１２の幅よりも狭い寸法を備えるため、プラグ部材４を取り外す際にゴム栓１の上面部１２がプラグ部材４の端面４２と貼り付いた場合でも、ゴム栓１の上面部１２に当接してプラグ部材４とゴム栓１を剥離するように機能するので、ゴム栓１が口部２２から抜け出たり、管状部３１を通過してソケット部材３から抜け出ることが防止される。狭窄部の通路の寸法は、概略的には、ゴム栓１の上面部１２の最大幅より０．１ｍｍ以上狭ければ本発明の目的を達成できる。
【００１３】
以下、図１の実施形態についてさらに詳細に説明する。図１において、バイアル２は、公知のとおり、口部２２に向けて先細となった円筒状の本体２１を備え、その先端には、外側に環状に張り出すように形成されたフランジ状の口部２２を備える。また、ゴム栓１は、口部２２に嵌入される小径の円筒状の挿入部１１と、フランジ状の口部２２の端面２３に当接して載置する大径の円盤状の上面部１２とを備え、概略きのこ状の縦断面形状を有する。
【００１４】
図１のバイアルキャップにおいて、ソケット部材３は、プラグ部材４と係止する管状部３１と、該管状部３１をバイアル２の口部２２の上方に延びるように配置する取付部３２とを備えることが必要である。この必要条件を満たす限り、ソケット部材３の形状は特に制限されず、管状部３１の横断面形状も円形以外ものであってもよいが、通常、ソケット部材３は円筒状の形状を有することが好ましく、同様に、管状部３１も円筒状であることが好ましい。したがって、以下、図４に示されるように、ソケット部材３及びその管状部３１は円筒状であることを前提に説明する。
【００１５】
取付部３２は、バイアル２のフランジ状の口部２２の外径よりもわずかに小さな内径を有する内方張出部３３を備えてスナップ式に口部２２と嵌合するようにしても良く、また、図４に示すように、ソケット部材３の側壁を一部切欠いてスロット３５を形成し、バイアル２の口部２１を側方から該スロット３５に挿入し、ソケット部材３内にスナップ式に嵌合できるようにしても良い。また、適当な締結具を使用してソケット部材３をバイアル２の口部２１に取り付けてもよい。尚、図４に示すように、ソケット部材３の操作性を向上させるため、その外周面３６にはローレット加工、粗面化処理等によって凹凸を設けてもよい。図４の例では、鍔３４はソケット部材３の内周壁から内方に向けて環状に連続的に張り出すように形成されているが、本発明が目的とする狭窄部を形成できれば断続的に形成してもよく、例えば、鍔３４を断続的な複数の弧状の張出部として形成しても良い。鍔３４は、通常、ゴム栓１の上面部１２の外周よりも０．０５ｍｍ以上内方に張り出していれば、本発明の目的を達成できる。
【００１６】
図１のバイアルキャップにおいて、ソケット部材３の円筒状の管状部３１の内周壁にはねじ山が設けられて、円筒状のプラグ部材４の外周壁に設けられたねじ山と螺合するように形成されている。したがって、図１のソケット部材３をバイアル２の口部２２に取り付けて両者の中心軸がほぼ一致するように配置した後、プラグ部材４をソケット部材３の管状部３１にねじ込むことにより、プラグ部材４の先端部４１が鍔３４で形成された狭窄部を通過し、端面４２がゴム栓１の上面に当接することにより、ゴム栓１を固定してバイアル２を密閉することができる。この状態で、加熱装置内に装着して内容物を反応させてもよいし、又は、内容物を一時保存してもよい。その際、PEEKチューブを挿通穴４３を介してゴム栓１に穿刺させたままにしてもよい。その後、内容物を使用に供するためにプラグ部材４を逆回転させて緩める際、万一プラグ部材４の端面４２がゴム栓１の上面部１２に貼り付いたとしても、鍔３４で形成された狭窄部にゴム栓１が当接して抜け出ることが防止されるので、プラグ部材４の取り外しに際して使用者の意図に反してゴム栓１がバイアル２から外れることはない。
【００１７】
なお、図１のソケット部材３とプラグ部材４との係合は、図１では螺合により行われるが、プラグ部材４をソケット部材３に押し込むことにより、両者のスナップ式の嵌合で行われるようにしてもよい。このスナップ式の嵌合方式の場合、例えば、プラグ部材４をソケット部材３にワンタッチで嵌め込むことでゴム栓１を押し付ける構造を採用することができる。
【００１８】
図２は、本発明のバイアルキャップの他の実施形態を示す縦断面図であり、図１と同様の要素は同様の符号で示す。図２のバイアルキャップは、ソケット部材３の管状部３１のねじ切りされた部分をそれよりも下の部分よりも小径にすることで、狭窄部を形成している点で、図１のバイアルキャップと異なる。その結果、図２では、ソケット部材３の内周壁に内方に張り出した段部３７が形成されるので、プラグ部材４を取り外す際に、万一プラグ部材４の端面４２がゴム栓１の上面部１２に貼り付いたとしても、狭窄部すなわち段部３７にゴム栓１が当接して抜け出ることが防止される。段部３７は、通常、ゴム栓１の上面部１２の外周よりも０．０５ｍｍ以上内方に張り出していれば、本発明の目的を達成できる。
【００１９】
図３は、本発明のバイアルキャップの更に他の実施形態を示す縦断面図であり、図１と同様の要素は同様の符号で示す。図３のバイアルキャップは、ソケット部材３の外周面にねじ山が設けられ、プラグ部材４の内周面にねじ山が設けられ、これにより両者が螺合することにより係合する構成とした点で、図１のバイアルキャップと異なる。もちろん、螺合の代わりに、両者がスナップ式に嵌合することにより係合する構成とすることもできる。このスナップ式の嵌合方式の場合、例えば、プラグ部材４をソケット部材３にワンタッチで嵌め込むことでゴム栓１を押し付ける構造を採用することができる。図３では、図２と同様に、ソケット部材３の内壁に段部３７が形成されているので、プラグ部材４を取り外す際に、万一プラグ部材４の端面４２がゴム栓１の上面部１２に貼り付いたとしても、段部３７で形成された狭窄部にゴム栓１が当接して抜け出ることが防止される。
【００２０】
本発明のバイアルキャップは、ソケット部材及びプラグ部材の何れも金属、プラスチック等の適当な材料で作成することができるが、プラスチックで作成することが好ましい。本発明のバイアルキャップは図示及び上記の実施形態に限定されるものではなく、当業者であればその各要素を均等物に置き換えることで上記以外の種々の変形を行うことが可能であることは言うまでもない。
【産業上の利用可能性】
【００２１】
本発明のバイアルキャップは、バイアルに複数の薬剤を収容して反応させる場合や、バイアルに薬剤を収容して一時保存する場合などに有用であり、放射線医薬品をはじめその他各種の化合物の合成や保存の用途の他、バイアルを使用する各種分野で広く利用できる。
【符号の説明】
【００２２】
１  ゴム栓
１１  挿入部
１２  上面部
２  バイアル
２１  本体
２２  口部
２３  端面
３  ソケット部材
３１  管状部
３２  取付部
３３  内方張出部
３４  鍔（狭窄部）
３５  スロット
３６  外周面
３７  段部（狭窄部）
４  プラグ部材
４１  先端部
４２  端面
４３  挿通穴
【図１】
0005997451.tif 000002
【図２】
0005997451.tif 000003
【図３】
0005997451.tif 000004
【図４】
0005997451.tif 000005
【図５】
0005997451.tif 000006